(57)【要約】【課題】埋設ボックス工事に関連して埋設ボックスの開口部を閉塞する蓋体の上部凹部内に、着脱式にした仮舗装体を嵌め込み仮舗装状態となし、周辺路面と平坦にさせる。【解決手段】埋設ボックスＢの開口部に施蓋配置する蓋体本体１の支持部３内に着脱自在に仮舗装体１０を嵌め込む。この仮舗装体１０は、支持部３の平面形状に対応した平面外形状の仮舗装板１１、仮舗装板１１の裏面に並列状に配置して固着した断面溝形の支持材２１から成る支持部材を備える。仮舗装板１１は所定肉厚を有する板材製で、外表面には滑り止め処置を施す。支持材２１は、支持部３の深さに対応した深さを備え、その開口部両側縁で仮舗装板１１裏面に固着してある。また、仮舗装体１０自体には蓋体本体１に固定する固定手段１５を設ける。【選択図】図１
0003160379.tif 000002
【実用新案登録請求の範囲】
【請求項１】
埋設される埋設ボックスにおける開口部に施蓋配置される蓋体本体の支持部内に着脱自在に嵌め込まれる仮舗装体であって、この仮舗装体は、支持部の平面形状に対応した平面外形状を呈する仮舗装板と、支持部の内底面に当接して仮舗装板を支持するよう仮舗装板の裏面に配設形成した支持部材とを備えて成ることを特徴とする埋設ボックスの蓋体における着脱式仮舗装体。
【請求項２】
仮舗装板は、所定肉厚を有する板材にて形成され、外表面には滑り止め処置が施されている請求項１に記載の埋設ボックスの蓋体における着脱式仮舗装体。
【請求項３】
支持部材は、仮舗装板の裏面で並列配置されている請求項１または２に記載の埋設ボックスの蓋体における着脱式仮舗装体。
【請求項４】
支持部材は、支持部の深さに対応した深さを備え、開口縁で仮舗装板裏面に固着された断面溝形の支持材としてある請求項１乃至３のいずれかに記載埋設ボックスの蓋体における着脱式仮舗装体。
【請求項５】
支持部材は、仮舗装板の裏面に配設固着した梁材と、梁材の底面に梁材に交差させて配設固着した連結材としてある請求項１乃至３のいずれかに記載埋設ボックスの蓋体における着脱式仮舗装体。
【請求項６】
梁材は、所定径のパイプ材から形成されていて、仮舗装板裏面に配列固着されている請求項５に記載の埋設ボックスの蓋体における着脱式仮舗装体。
【請求項７】
連結材は、所定肉厚の帯板材にて形成され、適当な間隔で梁材の底面に梁材と交差させて配列固着されている請求項５または６に記載の埋設ボックスの蓋体における着脱式仮舗装体。
【請求項８】
支持部材の底面には、所定肉厚を有する弾性材製のパッキン材を配してある請求項１乃至７のいずれかに記載の埋設ボックスの蓋体における着脱式仮舗装体。
【請求項９】
仮舗装体には、蓋体本体に固定する固定手段を設けてある請求項１乃至８のいずれかに記載の埋設ボックスの蓋体における着脱式仮舗装体。
【考案の詳細な説明】
【技術分野】
【０００１】
この考案は、電力・通信用の各種ケーブルの地中埋設化に伴い、その集約・分岐等のために地中に埋設されるいわゆるＣＣＢＯＸ等の埋設ボックスの蓋体の改良に係り、埋設ボックス工事に関連する工事中等で埋設ボックスの開口部を閉塞している蓋体の表面を仮舗装状態にし、周辺路面と連続した平坦面を形成できるようにした埋設ボックスの蓋体における着脱式仮舗装体に関する。
【背景技術】
【０００２】
電力・通信用の各種ケーブルの地中埋設化に伴い、その地中電路の要所には各種の埋設ボックスが、その開口部を地表面に位置させることで地中に埋設されており、開口部は地表での歩行等の交通往来に支障が生じないように耐荷重性が考慮された蓋体によって施蓋されている。例えば特許文献１に示されるコンクリート複合鋳鉄蓋であり、これは鋳物製にした上部開口の扁平箱体状の箱状本体の内部にコンクリート部を設けたものである。
【０００３】
これによると、箱状本体において、外周部と底部とが鋳鉄製の一体構造であることで厚さを薄くでき、運搬操作が容易となるとするも、外表面でコンクリート部の材質面がそのまま露呈されているから、不体裁である。このような不体裁となるのを考慮して、例えばブロック舗装された路面とのデザイン・色・形状等とマッチングさせるため、そのブロック舗装とマッチした表装塗膜材を蓋体の外表面に塗布した、路面化粧蓋装置及びその化粧法が特許文献２として提案されてもいる。
【先行技術文献】
【特許文献】
【０００４】
【特許文献１】特開平１１−１３１５１８号公報
【特許文献２】特開平９−１３４１５号公報
【考案の概要】
【考案が解決しようとする課題】
【０００５】
ところで、このような埋設ボックス用の蓋体は、鋳鉄製の蓋本体の上面凹部に周辺の路面と対応させての本舗装前には、低コストで扱いやすいコンクリート材やアスファルト材等で一時的に仮舗装をすることで路面上に凹凸が生じないように周辺路面と連続した平坦面としておくのが一般的である。また、場合によっては、例えばこの埋設ボックスにおける配線施工その他をはじめとする各種の工事中では、交通往来の安全性のためにも施蓋された状態としておく必要がある。ただ、こうした工事中では工事用機器の搬出入、セット、作業員の出入りその他のために、周辺更には蓋体の外表面も損傷されることが多く、蓋体表面に設けられるコンクリート部は、損傷されても差し支えがないように安価なコンクリート材、アスファルト材等で一時的な仮舗装状態としておくこともある。そして、一時的な仮舗装後や工事終了後では、仮舗装材としたコンクリート部分等を破断除去し、本舗装となるように、特許文献１に示すように所定のコンクリート材、アスファルト材等を施し、また必要に応じて特許文献２に示すように化粧等を行い、更には例えば塗装による滑り止め処置を施している。
【０００６】
そうすると、仮舗装に使用されたコンクリート材、アスファルト材は、本舗装に先立ち破断除去されるものとなっているから、そのための破断・剥離等の除去作業が必要であるばかりでなく、不要となったこれらのコンクリート材等は産業廃棄物として処分しなければならず、これらの手間は極めて面倒である。
【０００７】
そこでこの考案は叙上のような従来存した諸事情に鑑み創出されたもので、その目的は埋設される各種の埋設ボックスの開口部に施蓋される蓋体上面における本舗装に先立ち、仮舗装に代わるように着脱式で、繰り返しの使用が可能なものとして装着使用でき、また、滑り止め処置により交通往来の安全性を高め、しかも軽量で取り扱いも容易である埋設ボックスの蓋体における着脱式仮舗装体を提供することにある。
【課題を解決するための手段】
【０００８】
上述した課題を解決するため、この考案にあっては、埋設される埋設ボックスＢにおける開口部に施蓋配置される蓋体本体１の支持部３内に着脱自在に嵌め込まれる仮舗装体１０であって、この仮舗装体１０は、支持部３の平面形状に対応した平面外形状を呈する仮舗装板１１と、支持部３の内底面に当接して仮舗装板１１を支持するよう仮舗装板１１の裏面に配設形成した支持部材（１２，１３、２１）とを備えて成ることを特徴とする。
仮舗装板１１は、所定肉厚を有する板材にて形成され、外表面には滑り止め処置が施されることで構成することができる。
支持部材は、支持部３の深さに対応した深さを備え、開口縁で仮舗装板１１裏面に固着された断面溝形の支持材２１とすることができ、この支持材２１は例えば、仮舗装板１１の長手方向に沿って複数で並列配置することができる。あるいは仮舗装板１１の裏面に配設固着した梁材１２と、梁材１２の底面に梁材１２に交差させて配設固着した連結材１３とすることができ、この梁材１２は例えば、仮舗装板１１の短手方向に沿って複数で並列配置することができる。
梁材１２は、所定径のパイプ材から形成されていて、仮舗装板１１裏面に配列固着されていることで構成することができる。
連結材１３は、所定肉厚の例えば鋼帯板材にて形成され、適当な間隔で梁材１２の底面に梁材１２と交差させて配列固着されていることで構成することができる。
支持部材（１２，１３、２１）の底面には、所定肉厚を有する弾性材製のパッキン材１４を配することで構成することができる。
また、仮舗装体１０には蓋体本体１に固定する固定手段１５を設けることができる。
【０００９】
以上のように構成されたこの考案に係る埋設ボックスの蓋体における着脱式仮舗装体にあって、地中埋設の埋設ボックスＢの地表面での開口部を閉塞する蓋体本体１の支持部３内に仮舗装体１０を嵌め込むことで、蓋体本体１における窪み状の支持部３によって生じる周辺路面との間での凹凸その他を解消させる。また、本舗装に先立つ仮舗装を代替させ、しかも、工事終了後の所定の舗装材による本舗装には全く影響を与えず、本舗装後の体裁を良好にし、また、本舗装時には仮舗装体１０を取り外して、これを繰り返し使用させ、無駄を生じさせない。
支持部材（１２，１３、２１）は、仮舗装板１１の耐荷重性を増大させ、仮舗装板１１上における交通往来の安全性、安定性を確保させ、また蓋体本体１部分では周辺路面との平滑性、連続性を担保させ、さらには軽量化を図って取り扱いを容易にさせる。
特に、断面溝形の支持材２１は、その深さの適宜な選定で支持部３における深さが異なる場合でも対応させ、その調整、設定を容易にさせ、奥底部が支持部３内底面に当接して荷重を支持し、座屈も生じさせない。
また、パイプ材製の梁材１２、これに交差して配列固着される連結材１３は、仮舗装板１１上から負荷される自動車その他の荷重を十分に支持し、仮舗装板１１自体の歪形等を阻止させる。
パッキン材１４は、仮舗装体１０が支持部３内に嵌め込まれたときの支持部３内で、その底面との支持安定性を増大させ、仮舗装体１０上での交通往来時におけるがたつき、騒音発生を防止させる。
固定手段１５は、蓋体本体１の支持部３内に収納させた仮舗装体１０を蓋体本体１に固定させ、嵌め込み使用時の位置ずれ、不要な取り外しを阻止させる。
【考案の効果】
【００１０】
この考案は以上説明したように構成されているため、開口部を路面に設定して埋設される各種の埋設ボックスＢにおける周辺路面と対応させた本舗装の施工前に、埋設ボックスＢの開口部を施蓋する蓋体本体１における窪み状の支持部３を一時的に仮舗装状態として周辺路面との連続した平坦性を確保できる。しかも、従来のように仮舗装用のコンクリート材、アスファルト材等の除去、取り外し、その廃棄の手間を掛けずに、本舗装を容易に実施できるので、無駄な作業時間を要せずに済み、コストの節減も可能である。このように、蓋体本体１における浅底状の支持部３における舗装材による本舗装に先立ち、仮舗装形態として着脱式に装着でき、繰り返しの使用も可能であるから、廃棄物を生じさせることなく無駄なく利用でき、また、滑り止め処置により交通往来の安全性を高め、しかも軽量で取り扱いも容易である利点がある。
【００１１】
すなわちこれはこの考案において、仮舗装体１０は、蓋体本体１における支持部３の平面形状に対応した平面外形状を呈する仮舗装板１１と、支持部３の内底面に当接して仮舗装板１１を支持するよう仮舗装板１１の裏面に配設形成した支持部材（１２，１３、２１）とを備えて成るからであり、着脱式で繰り返し使用の耐用性、廃棄物の不発生、軽量化による取り扱いの容易性、交通往来の安全性・安定性等を確保することができる。
【００１２】
また、仮舗装板１１の外表面には滑り止め処置が施されていることで、歩行、車輌の走行等の交通往来の安全性等を確保できる。
【００１３】
仮舗装板１１裏面に配した支持材２１は、支持部３の深さに対応した深さを備えた断面溝形に形成してあるから、支持部３の深さに対応した深さのものとして構成することは容易である。また、開口縁で仮舗装板１１裏面に固着されることで、奥底部外側面が支持部３内底面にしっくりと当接して支持安定性を向上させ、仮舗装板１１上から負荷される自動車荷重その他によっても座屈することなく、それらの荷重等を確実に保持して、本舗装までの路面の平坦性を維持できる。
【００１４】
あるいは、仮舗装板１１裏面に配した支持部材として、配列固着されたパイプ材製の梁材１２と、これに交差して配列固着された連結材１３とが設けられていることでも、仮舗装板１１上に負荷される例えば車輌その他の重量にも十分に耐えられ、しかも、耐荷重性がありながら軽量化を実現していることでこれの取り扱いも容易である。
【００１５】
そしてまた、支持部材（１２，１３、２１）の底面には所定肉厚の弾性材製のパッキン材１４が配されていることで、仮舗装体１０が蓋体本体１における支持部３底面上に載置されたとき、パッキン材１４が支持部３底部との間で緩衝機能を発揮し、支持部３底面上に存する凹凸、負荷される仮舗装板１１上方からの荷重その他に起因するがたつきを防止するばかりでなく、それによる騒音の発生を減少させる。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための第１の実施例における一部切欠斜視図である。
【図２】同じくその平面図である。
【図３】同じく図２におけるＡ−Ａ線断面図である。
【図４】同じく第２の実施例における一部切欠斜視図である。
【図５】同じくその平面図である。
【図６】同じく図５におけるＢ−Ｂ線断面図である。
【図７】同じく図５におけるＣ−Ｃ線断面図である。
【図８】同じく裏面図である。
【図９】同じく使用状態の断面図である。
【考案を実施するための形態】
【００１８】
以下、図面を参照してこの考案を実施するための一形態を説明すると、図において示される符号１は所定の埋設ボックスＢにおける開口部に施蓋装着される例えば鋳物製の蓋体本体であり、埋設ボックスＢの開口部を１枚であるいは分割された複数枚にした構成で開口部を施蓋している。この蓋体本体１は扁平浅底状を呈し、これの上部凹部の内部に仮舗装となる仮舗装体１０が着脱自在に収納固定され、また、本舗装時のコンクリート材あるいはアスファルト材等の舗装材（図示せず）が充填されるようになっている。
【００１９】
蓋体本体１は、埋設ボックスＢにおける開口部に固定されている開口枠体Ｂ１の内周側に形成された蓋支持縁部上に載置されるようにした載置縁部２を周側縁に形成してある共に、底部及びこの底部の周縁に一体状に立設した周縁部によって、仮舗装体１０が嵌め込み収納され、あるいは舗装材が充填される浅底窪み状の支持部３を形成している。そして、底部には、中央部分がやや錐体状に窪んでいて、コンクリート材、アスファルト材等の充填材Ｃが充填されている錐状底部４を形成してある。この錐状底部４は、蓋体本体１の長手方向に沿った中央部が最深部位となる形態としてあり、充填材Ｃの充填によって支持部３の底面が平坦面となるようにしてある。また、この錐状底部４内には、必要に応じてこれの底部上に、あるいは支持部３下方に適数条の補強片が立設あるいは垂設されていて、充填材Ｃと共に蓋体本体１の底部を補強している（図９参照）。
【００２０】
図示にあっての蓋体本体１は、平面で長方形状を呈し、その短辺側の縁部が載置縁部２となしてあるも、これの平面形状は、埋設ボックスＢの開口部形状に対応すれば良く、例えば埋設ボックスＢの開口部形状が円形であれば、これに対応するよう円形状に形成されることもある（図示せず）。なお、図中符号５は、蓋体本体１更には舗装材、仮舗装体１０等を埋設ボックスＢに施蓋しあるいは開放するときに所定の取付治具によって持ち上げるときのフック等に連繋される連繋部である。
【００２１】
また、仮舗装体１０は、蓋体本体１における支持部３内に嵌め込まれ、収納されるプレート状に形成されており、支持部３の内法における平面形状に対応する平面外形状を呈している。すなわち、この仮舗装体１０は、支持部３における平面形状に対応した平面外形状を呈する仮舗装板１１と、支持部３の内底面に当接して仮舗装板１１を支持するよう仮舗装板１１の裏面に配設形成した支持部材（１２，１３、２１）とを備えて成る。
【００２２】
仮舗装板１１は、所定肉厚を有する例えば鋼板にて形成され、外表面には凹凸状に形成され更には滑り止め塗料が塗布されることで滑り止め処置が施されている。
【００２３】
そして、図１乃至図３に示された第１の実施例において、この支持部材は、平面で基本的には長方形状を呈する仮舗装板１１の長手方向に沿って複数で並列配置されていて、支持部３の深さに対応した深さを備えた断面溝形の支持材２１としてある。この支持材２１自体は、溝形の開口部における両側の開口縁で仮舗装板１１の裏面に溶接等によって固着されており、支持部３内に配置されたときには、支持材２１の奥底部外側面が支持部３内底にしっくり当接し、例えば交通往来においての仮舗装板１１上から負荷される自動車の荷重その他に対して座屈が生じないようにされている。この支持材２１自体の断面形状は、底部が円弧形状であっても、角溝形状であっても、さらには三角形状等であっても良く、特に限定されるものではない。この断面溝形の支持材２１では、支持部３の深さに対応して、これが深い場合には高い両側壁構成となり、低い場合には低い両側壁構成となり、使用現場における支持部３の深さが様々に異なることがあるのに対応して形成する。
【００２４】
また、図４乃至図８に示された第２の実施例において、仮舗装板１１の裏面に配設固着した梁材１２と、梁材１２の底面に梁材１２に交差させて配設固着した連結材１３とを備え、また、連結材１３裏面には弾性あるパッキン材１４を貼設してある。
【００２５】
梁材１２は、例えば所定径のパイプ材から形成されていて、図示のように仮舗装板１１における長手方向に沿って例えば４列にして両側縁部、中央部位置で仮舗装板１１裏面に溶接等によって配列固着されている。このパイプ状の梁材１２によって、仮舗装板１１上から負荷される各種荷重を支持し、仮舗装板１１自体の撓み、損壊等を防止する。
【００２６】
また連結材１３は、所定肉厚の例えば鋼帯板材にて形成され、仮舗装板１１の短手方向に沿って適当な間隔で梁材１２の底面に溶接等で配列固着されていて、梁材１２それぞれの配列間隔を保持している（図４、図８参照）。なお、梁材１２と連結材１３とは、パイプ材、帯板材等によって形成され、また相互に格子状に組み合わせられているも、これらの材質、配列形態等は図示例に特に限定されるものではない。
【００２７】
パッキン材１４は、所定肉厚を有する例えばゴム素材であり、連結材１３の底面に沿うように帯状に形成されて、連結材１３底面に固着されている。そして、仮舗装体１０自体が蓋体本体１の支持部３内に装着されたとき、平坦面状を呈する蓋体本体１における支持部３上面上にパッキン材１４を介して載置されることで、支持部３上面上に存することがある不揃いな凹凸面によるがたつき・衝撃等を緩衝、防止するようにしている（図９参照）。尚、このパッキン材１４は、必要があれば前記した支持材２１底面に固着することもできる。
【００２８】
更に、この仮舗装体１０には、蓋体本体１の支持部３内に仮舗装体１０を装着配置したとき、仮舗装体１０自体を蓋体本体１にしっかりと固定する固定手段１５が仮舗装体１０裏面に設けられている。この固定手段１５は、仮舗装体１０の仮舗装板１１に開穿した固定孔位置に対応させて、図２に示すように例えば仮舗装体１０の仮舗装板１１裏面で並列する支持材２１相互間に、あるいは図５に示すように例えば仮舗装体１０の裏面で隣接配列された連結材１３相互間に架け渡し固定した帯板状の固定板１６に透孔を穿設しておく一方、この透孔位置に対応して蓋体本体１における支持部３面に設けた雌ネジ孔に、固定孔を挿通させてネジ込む固定ネジとしてある（図９参照）。また、図示を省略したが、支持部３上面に露出させて立脚させた固定ボルトに透孔を位置合わせして嵌め合わせ、固定板１６上に突出した固定ボルトを固定板１６上でナット止めするようにすることも可能である。なお、図示例にあっての固定手段１５は、仮舗装体１０における長手方向の前後部に対状に配置してあるも、その配置位置、ボルト止め構成等は図示例に限定されるものではない。
【００２９】
次にこれの使用の一例を説明すると、各種ケーブルの地中埋設化に伴い埋設ボックスＢを埋設するとき等で、この埋設ボックスＢの地表面の開口部を例えば適数枚の蓋体本体１を配列して埋設ボックスＢの開口部を施蓋する。このとき、蓋体本体１における窪み凹所状の支持部３内に仮舗装体１０を嵌め込み、固定手段１５にて固定すれば良い（図９参照）。仮舗装体１０の嵌め込みによって周辺路面との間では凹凸を生じさせずに、連続した平坦面を形成できる。
【００３０】
周辺路面と対応した舗装時では、仮舗装体１０を取り外し、支持部３内にコンクリート材、アスファルト材等の所定の舗装材を充填し、また化粧を施して本舗装とすれば良い。取り外した仮舗装体１０は、別の工事現場等で再使用される等のために、適宜に保管しておけば良いのである。
【符号の説明】
【００３１】
Ｂ…埋設ボックス                        Ｂ１…開口枠体
Ｃ…充填材
１…蓋体本体                            ２…載置縁部
３…支持部                              ４…錐状底部
５…連繋部
１０…仮舗装体                          １１…仮舗装板
１２…梁材                              １３…連結材
１４…パッキン材                        １５…固定手段（固定ネジ）
１６…固定板                            ２１…支持材
【図１】
0003160379.tif 000003
【図２】
0003160379.tif 000004
【図３】
0003160379.tif 000005
【図４】
0003160379.tif 000006
【図５】
0003160379.tif 000007
【図６】
0003160379.tif 000008
【図７】
0003160379.tif 000009
【図８】
0003160379.tif 000010
【図９】
0003160379.tif 000011
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
埋設される埋設ボックスにおける開口部に施蓋配置される蓋体本体の支持部内に着脱自在に嵌め込まれる仮舗装体であって、この仮舗装体は、支持部の平面形状に対応した平面外形状を呈する仮舗装板と、支持部の内底面に当接して仮舗装板を支持するよう仮舗装板の裏面に配設形成した支持部材とを備えて成ることを特徴とする埋設ボックスの蓋体における着脱式仮舗装体。
【請求項２】
仮舗装板は、所定肉厚を有する板材にて形成され、外表面には滑り止め処置が施されている請求項１に記載の埋設ボックスの蓋体における着脱式仮舗装体。
【請求項３】
支持部材は、仮舗装板の裏面で並列配置されている請求項１または２に記載の埋設ボックスの蓋体における着脱式仮舗装体。
【請求項４】
支持部材は、支持部の深さに対応した深さを備え、開口縁で仮舗装板裏面に固着された断面溝形の支持材としてある請求項１乃至３のいずれかに記載の埋設ボックスの蓋体における着脱式仮舗装体。
【請求項５】
支持部材は、仮舗装板の裏面に配設固着した梁材と、梁材の底面に梁材に交差させて配設固着した連結材としてある請求項１乃至３のいずれかに記載の埋設ボックスの蓋体における着脱式仮舗装体。
【請求項６】
梁材は、所定径のパイプ材から形成されていて、仮舗装板裏面に配列固着されている請求項５に記載の埋設ボックスの蓋体における着脱式仮舗装体。
【請求項７】
連結材は、所定肉厚の帯板材にて形成され、適当な間隔で梁材の底面に梁材と交差させて配列固着されている請求項５または６に記載の埋設ボックスの蓋体における着脱式仮舗装体。
【請求項８】
支持部材の底面には、所定肉厚を有する弾性材製のパッキン材を配してある請求項１乃至７のいずれかに記載の埋設ボックスの蓋体における着脱式仮舗装体。
【請求項９】
仮舗装体には、蓋体本体に固定する固定手段を設けてある請求項１乃至８のいずれかに記載の埋設ボックスの蓋体における着脱式仮舗装体。